(57)【特許請求の範囲】
【請求項１】
地面に対して固定された支柱に取り付けて使用する、害虫が忌避する波長の光を照射する防虫灯であって、
防虫灯は、側面側に忌避光を照射する照射部と、
底面側に忌避光を照射する照射部と、
側面側に忌避光を照射する照射部と底面側に忌避光を照射する照射部とを固定する放熱フィンと、
前記支柱に対して防虫灯を固定するための固定部と、
固定部に対して交差する位置関係で配置され、一端側が固定部に接続され、他端側が底面側に忌避光を照射する照射部と側面側に忌避光を照射する照射部とを固定した放熱フィンを支持する板状のブラケットと、を有しており、
ブラケットの底面側に、底面側に配される照射部の忌避光を照射可能にするための切欠から構成される小窓を設け、
防虫灯の側面側と底面側との両方に忌避光を照射可能に構成した防虫灯。
【請求項２】
防虫灯の側面側及び底面側に透明板が配されており、側面側及び底面側の両透明板の内側に照射部を配置することにより、防虫灯の側面側と底面側との両方に忌避光を照射可能に構成した請求項１に記載の防虫灯。
【請求項３】
側面側の透明板及び底面側の透明板は、連続する面として構成される請求項２に記載の防虫灯。
【請求項４】
透明板は、ポリカーボネート板から構成される請求項２又は３に記載の防虫灯。
【請求項５】
忌避光の照射部は、複数のＬＥＤ素子から構成される請求項１ないし４のいずれかに記載の防虫灯。
【請求項６】
側面側及び底面側の忌避光の照射部は、忌避光の配光角が９０度よりも大きいＬＥＤ素子を含むものである請求項１ないし５のいずれかに記載の防虫灯。
【請求項７】
放熱フィンと固定部との間には通気口が設けられている請求項１ないし６のいずれかに記載の防虫灯。
【発明の詳細な説明】
【技術分野】
【０００１】
本発明は、害虫が忌避する波長の光（以下、忌避光と称することがある。）を照射する防虫灯に関する。
【背景技術】
【０００２】
特定の波長の光を照射すると害虫を防除する効果が得られることが既に知られている。
【０００３】
例えば、特許文献１には、緑色に発光するＬＥＤ光源を１．５ルクス以上の照度で照射して夜蛾の活動を停止させて作物の被害を軽減することが記載されている。図１には照明板を約７０度程度傾けて支柱に固定した照明灯が記載されている。
【０００４】
特許文献２には、ピーク波長３７０ｎｍ〜４８０ｎｍの青色光を放射する発光素子と、ピーク波長５６０〜５８０ｎｍの黄色光を放射する蛍光体とを組み合わせてなる害虫防除装置用のＬＥＤランプが記載されている。
【０００５】
特許文献３には、黄色ＬＥＤを直列で接続するように裏面で配線した基板からなる角状の菅体と、管体を収納する透明パイプとからなる棒状の防虫灯が記載されている。
【先行技術文献】
【特許文献】
【０００６】
【特許文献１】特開２０１３−１７９９３７号公報
【特許文献２】特開２００８−１５４５４１号公報
【特許文献３】特開２００３−２８４４８２号公報
【発明の概要】
【発明が解決しようとする課題】
【０００７】
特許文献１の照明灯は、照明板を７０度程度傾けて支柱に固定しているものの、支柱の足元付近を照らすことができない。特許文献２の害虫防除装置は、ハウスの天井や支柱にＬＥＤランプを固定して、底面側に向けて光を照射する。このため、害虫防除装置の側面側を照らすことができない。特許文献３の棒状の防虫灯は、防虫灯の側面は照らすことができるが、底面側を照らすことができない。このように、従来の防虫灯では、防虫灯の底面側と側面側との両方に忌避光を照射することができなかった。
【０００８】
忌避光を照射すると、夜蛾などの害虫は光が照射されていない領域に逃げる。このため、果樹や野菜などに忌避光を照射している領域では害虫の数が減少する。ところが、防虫灯の足元に忌避光が照射されないと、防虫灯の足元付近に害虫が卵を産み付けるなどして繁殖する場所となってしまう。このため、圃場から害虫を完全に締め出すことが難しい。圃場の隅など忌避光が届きにくい領域があると、防虫灯の足元の住処から害虫が移動して果樹や野菜などの作物に害が及ぶことがある。
【０００９】
本発明は、単体で防虫灯の側面側と底面側との両方に忌避光を照射することができる防虫灯を提供することを目的とする。
【課題を解決するための手段】
【００１０】
害虫が忌避する波長の光を照射する防虫灯であって、防虫灯は、忌避光の照射部と、照射部を内蔵する筐体とからなり、筐体の側面及び底面の両方に照射部を配置することにより、筐体の側面側と底面側の両方に忌避光を照射可能に構成した防虫灯によって、上記の課題を解決する。当該防虫灯によって、筐体の側面側と底面側との両方に忌避光を照射することが可能になり、防虫灯の足元も含めて圃場から害虫を駆除することが可能になる。
【００１１】
筐体の側面及び底面に透明板が配されており、側面及び底面の両透明板の内側に照射部を配置することにより、筐体の側面と底面との両方に忌避光を照射可能に構成することが好ましい。これによって、側面側及び底面側に配した照射部が汚れたり損傷することを防止することが可能である。
【００１２】
側面側の透明板及び底面側の透明板は、側面側の透明な面と底面側の透明な面が連続する面として構成することが好ましい。これによって、部品点数を減らして容易に防虫灯を組み立てたり分解したりすることが可能になる。
【００１３】
透明板は、ポリカーボネート板から構成することが好ましい。これにより、透明板の紫外線透過率を低減して、防虫灯が紫外線によって経年劣化することを防止することが可能である。また、ポリカーボネートは割れにくいため、透明板に外力が加えられた際に割れにくくすることが可能である。
【００１４】
忌避光の照射部は、複数のＬＥＤ素子から構成することが好ましい。ＬＥＤ素子は、寿命が長く、低温でも発光効率が変わらない。これにより、長期間にわたって安定した忌避光を照射することが可能になる。
【００１５】
側面側及び底面側の忌避光の照射部は、忌避光の配向角が９０度よりも大きいＬＥＤ素子を含むことが好ましい。これにより、底面側の忌避光と側面側の忌避光とを交わらせて、底面と側面との間の領域も含めて漏れなく忌避光を照射することが可能になる。
【００１６】
忌避光の照射部の背面には、放熱フィンを配することが好ましい。これにより、側面側及び背面側に設けた照射部から発生する熱を効率的に排熱することが可能になる。
【００１７】
筐体は、支柱に対する固定部と、一端側が固定部に接続され、他端側が透明板及び照射部を支持するブラケットとを含むものであって、ブラケットの底面側に、底面側の照射部の忌避光を照射可能にするための小窓を設けることが好ましい。照射部を支持するブラケットを利用して小窓を形成することで、ＬＥＤ素子の位置を容易に決めることが可能になる。
【発明の効果】
【００１８】
本発明の防虫灯によれば、単体で防虫灯の側面と底面との両方に忌避光を照射することができる防虫灯を提供することが可能になる。これにより、防虫灯の足元も含めて圃場から害虫を駆除することが可能になる。
【図面の簡単な説明】
【００１９】
【図１】防虫灯の一実施形態を示す正面図である。
【図２】図１の防虫灯の背面図である。
【図３】図１の防虫灯の右側面図である。
【図４】図１の防虫灯の左側面図である。
【図５】図１の防虫灯の平面図である。
【図６】図１の防虫灯の底面図である。
【図７】図１ないし図４のＡＡ部分の断面図である。
【図８】図１及び図２のＢＢ部分の断面図である。
【図９】図８の一点鎖線で示した円部の拡大図である。
【図１０】一実施形態に係る防虫灯の忌避光の照射領域を示す図である。
【発明を実施するための形態】
【００２０】
以下、図面を参照して本発明の防虫灯の一実施形態について説明する。図１ないし図９に本発明の防虫灯の一実施形態を示す。
【００２１】
本実施形態の防虫灯１は、害虫が忌避する波長の光を照射するものであり、複数の忌避光の照射部１１からピーク波長が４７０ｎｍ以上、かつ５５０ｎｍ未満の緑色光を照射する。忌避光の波長及び色彩は防除する害虫に応じて変更することができる。例えば、ピーク波長が５５０ｎｍ以上、かつ５８０ｎｍ未満の黄色光を発するものを使用してもよい。緑色光と黄色光とを混用してもよい。夜間に害虫が生息する領域に忌避光を照射すると、夜行性の害虫は活動を停止する。
【００２２】
夜行性の虫は、日光のある昼間は活動を停止し、夜間になると活動する。忌避光が夜間において害虫の活動を停止させる詳細な機構は不明であるが、忌避光を照射することで夜行性の害虫が明適応して活動を停止すると推測される。忌避光を照射することで、例えば、果樹や野菜などに寄ってくる夜蛾、ヨトウガ、一部のカメムシなどの夜行性の害虫を防除することができる。本実施形態の防虫灯１は、図１及び図５に示したように、忌避光の照射部１０、１１と、照射部１０、１１を内蔵する筐体１２とを有する。以下、各部について説明する。
【００２３】
本実施形態の防虫灯１は、側面側と底面側との両方に照射部１０、１１を備える。防虫灯１の側面側とは、防虫灯１の正面と背面と右側面と左側面である。換言すると、防虫灯１の底面から立ち上がる円柱を想定したときに、当該円柱の側面側と当該円柱の底面側との両方に照射部１０、１１が設けられるという意味である。本実施形態の防虫灯１では、右側面、左側面、正面、及び背面を側面側と呼ぶ。防虫灯１は、側面側の照光部として、右側面、左側面、正面、及び背面に、計四組の照射部１０を備える。さらに、防虫灯１は、底面側の照光部として、右側面の底面、左側面の底面、正面の底面、及び背面の底面に、計四組の照射部１１を備える。
【００２４】
側面側の照射部１０は、所定の大きさの電子基板３０に複数のＬＥＤ発光素子３１を固定してなり、電子基板１枚当たり計３２個のＬＥＤ発光素子を備える。底面側の照射部１１は、電子基板３０に比べて面積の小さい電子基板３２に複数のＬＥＤ発光素子３３を固定してなり、電子基板１枚当たり計４個のＬＥＤ発光素子３２を備える。側面側及び底面側の照射部１０、１１は、放熱フィン３８の基部側に接面した状態で固定して放熱する。底面側の照射部１１は、図８及び図９に示したように、放熱フィン３８の基部側に、固定ブロック３４を設けて、この固定ブロック３４に照射部１１の電子基板３２が接面するように固定されている。固定ブロック３４は、熱伝導率の高いアルミニウムから構成されている。側面側及び底面側の照射部１０、１１は、螺子３５、３６によって放熱フィン３８に対して固定されている。
【００２５】
筐体１２は、図１ないし図７に示したように、支柱に対する固定部１３と、複数の透明板１４と、一端が固定部１３に連結され、他端が透明板１４及び照射部１１を支持する複数のブラケット１５、１６と、透明板１４を固定する複数のアングル１７とを備える。固定部１３は、平面側のフランジ１８と底面側のフランジ１９とを備えた円筒部材から構成される。図１０に示したように、下端側から支柱４５を円筒内に嵌め込んで支柱４５に対して固定部１３を固定する。支柱４５は、圃場の地面４６に差し込むなど適宜の手段によって地面４６に固定する。フランジ１８、１９は、板状の部材であり、円筒に対して略垂直に交差する。平面側のフランジ１８及び底面側のフランジ１９の外縁部には、複数の折曲部２０、２１がそれぞれ設けられる。同様に、平面側のブラケット１５及び底面側のブラケット１６の外延部には、折曲部２２、２３がそれぞれ設けられる。底面側フランジ１９の折曲部２１は、図７に示したように、底面側ブラケット１６の一端に配される折曲部２３と当接した状態で螺子止めによって相互に連結する。同様に、平面側フランジ１８の折曲部２０は、平面側ブラケット１５の一端に配される折曲部２２と当接した状態で螺子止めによって相互に連結する。平面側の折曲部２０、２２は、底面側に折れ曲がっている。図５では、破線で折曲部２０、２２を示す。
【００２６】
平面側のブラケット１５は、一端側に配される折曲部２２と、他端側に配される支持部２４と、折曲部２２と支持部２４とを連結するアーム２６とからなる。同様に、底面側のブラケット１６は、一端側に配される折曲部２３と、他端側に配される支持部２５と、折曲部２３と支持部２５とを連結するアーム２７とからなる。支持部２４、２５はアーム２６、２７に対して幅広な形状である。ブラケット１５、１６は、板状の部材である。上述の通り、ブラケットの一端側の折曲部２２、２３は、フランジ１８、１９の折曲部２０、２１にそれぞれ固定される。ブラケット１５、１６は、固定部１３に対して組み付けた状態で、平面側及び底面側のフランジ１８、１９と同一面上に位置する。底面側のブラケット１６の支持部２５は、長方形に切り欠かれており、これにより小窓２８を構成している。平面側のブラケット１５には、切欠は設けられていない。
【００２７】
アングル１７は、固定部１３の延在方向に沿って透明板１４の両端部に配される部材であり、略直角の角を有するＬ字状の板状部材である。放熱フィン３８に対して側面側及び底面側の照射部１０、１１を固定した状態で、透明板１４を放熱フィン３８の基部側に被せる。透明板１４の左右の端部にアングル１７を被せた状態で、アングル１７と放熱フィン３８とを複数の螺子３７で止める。
【００２８】
放熱フィン３８は、図７に示したように、ブロック状の基部３９と、基部３９から突出する複数のフィン４０を備える。放熱フィン３８の基端側の左右の端部にはネジ穴を設けたブロック４８を固定してある。ブロック４８のネジ穴に螺子３７を螺合して、上述のアングル１７を固定する。放熱フィン３８の基端部の上端面は、平面側のブラケット１５の支持部２４に接面した状態で螺子４２で止めて、平面側のブラケット１５に対して固定される。放熱フィン３８の基端部の下端面は、底面側のブラケット１６の支持部２５に接面した状態で螺子４２で止めて、底面側のブラケット１６に対して固定される。このため、放熱フィン３８は、平面側及び底面側のブラケット１５、１６によって挟まれた状態で固定部１３に固定される。図７及び図８に示したように、照射部１１とブラケット１６の支持部２５との間には、底面側の透明板１４が介装された状態で、底面側のブラケット１６と放熱フィン３９の下端面とが螺子４２で止められる。底面側の透明板１４は、底面側の支持部２５と底面視において同じ幅であり、螺子止めした際に透明板１４がたつかないようになっている。放熱フィン３８は、熱伝導率が高いアルミニウムから構成されている。
【００２９】
側面側の照射部１０と底面側の照射部１１との間の空間４３には、照射部１０、１１の制御装置（図示略）が格納されている。制御装置によって、点滅、連続発光、発光強度などの発光パターン又は消灯若しくは点灯などのタイマー制御を行う。空間４３も透明板１４で覆われているため、シール４４で覆うことで、制御装置が外部から視認されないようにしてある。
【００３０】
側面側の透明板１４及び底面側の透明板１４は、図８及び図９に示したように、連続する面として構成されている。換言すると、側面側の透明板１４と底面側の透明板１４とは一部材から構成される。これにより、部材の数を減じて防虫灯の組み立てを容易にすることができる。例えば、防虫灯１を組み立てる際には、まず、放熱フィン３８と、照射部１０、１１と透明板１４とを一体にして、これを底面側のブラケット１６と平面側のブラケット１５との間に挟んだ状態で螺子４２で固定する。このとき、底面側の透明板１４と側面側の透明板１４とが連続する面として構成されているので、組み立てる際に側面側の透明板１４が倒れることを防止することができる。さらに、側面側の透明板１４と底面側の透明板１４とを連続する面として構成することによって、両者の隙間をなくすことができる。これによって、隙間から塵や水滴が筐体内に侵入することを防止することが可能である。側面側の透明板１４と底面側の透明板１４とは、一体に成形してもよいし、別々に成形して両者を接着剤等によって接合してもよい。
【００３１】
本実施形態の防虫灯１では、筐体の側面側及び底面側に透明板が配されており、側面及び底面の両透明板１４の内側に照射部１０、１１が配置されている。このため、鳥の糞、風雨、物が衝突する等して照射部１０、１１が汚れたり、損傷することを防ぐことができる。透明板１０、１１が汚れた場合は、表面を拭うなどすることによって、容易に汚れを除去することができる。仮に側面側及び底面側の透明板１４に傷が入るなどして忌避光の透過が妨げられるようなことがあったとしても、新しい透明板１４に容易に交換することが可能である。本実施形態の防虫灯１では、側面側及び底面側の透明板１４が連続しているため、ふき取り作業を容易に行うことができるし、傷が入った透明板１４を容易に取り換えることができる。
【００３２】
底面側及び側面側の透明板１４は共にポリカーボネート板から構成されている。このため、支柱に取り付ける際に防虫灯を落下させるなどして透明板１４に大きな力が作用した場合に、透明板１４が割れることを防ぐことが可能である。また、ポリカーボネートは紫外線をほぼ１００％カットすることから、照射部１０、１１を構成する電子基板、ＬＥＤ素子、接着剤などが紫外線で劣化することを防ぐことが可能である。これによって、防虫灯の耐用期間を長くすることが可能である。
【００３３】
側面側及び底面側の照射部１０、１１は、忌避光の配光角が９０度よりも大きいＬＥＤ素子を使用することが好ましい。本実施形態の防虫灯１では、底面側及び側面側のＬＥＤ素子の配向角は、全て１２０度のものを使用した。図１２において、配向角が９０度のＬＥＤ素子の忌避光の広がりを破線で示し、配向角が１２０度のＬＥＤ素子の忌避光の広がりを実線で示す。図１２においては、便宜上、側面側の一番下のＬＥＤ素子と底面側のＬＥＤ素子のみが発光している状態を示す。破線で示したように配向角が９０度のときは、側面側と底面側との中間あたりに忌避光が照射されていない領域が生じてしまう。一方、実線で示したように配向角が１２０度の時は、側面側と底面側の中間あたりで側面側と底面側との忌避光が重なって、側面側と底面側との中間あたりにおいて忌避光の照射強度を上げることができる。これによって、防虫灯１の足元から斜め上方向にかけてもれなく忌避光を照射して、害虫を防除することが可能である。
【００３４】
側面側の照射部１０及び底面側の照射部１１と、放熱フィン３８と、側面側の透明板１４及び底面側の透明板１４とを照光単位としたときに、照光単位の数は３以上であることが好ましい。これによって、側面側に漏れなく忌避光を照射することが可能になる。本実施形態の防虫灯の照光単位の数は４である。照光単位を平面視において円形にしてもよい。すなわち、平面側の透明板と、ＬＥＤ素子と電子基板とからなる側面側の照射部とを平面視において円形に構成してもよい。
【００３５】
固定部１３と照射部１０、１１とは、アーム２６、２７を介して互いに接続される。図５ないし図７に示したように、平面視又は底面視において、アーム２６、２７の突出量をフィン４０の突出量よりも大きくすることで、フィン４０と固定部１３との間に通気口４７を設けることができる。通気口４７は筐体の外部と連通しており、外気が通り抜ける。これにより、放熱フィン３８の放熱効率を上昇させることができる。
【００３６】
放熱フィン３８は、固定部１３に向かって突出する状態でブラケット１５、１６に固定される。このため、ブラケット１５、１６を固定部１３に組み付けた状態で、筐体の側面方向から放熱フィン３８は視認されない。これによって、防虫灯１は箱のような外観に見える。外部にフィン４０が露出しないため、放熱フィン３９が汚れたり、破損し難く好ましい。汚れた場合でも、箱のようになっているため、汚れを拭うなどして汚れを容易に除去することが可能である。
【００３７】
上述のように、底面側のブラケット１６の支持部２５を切り欠いて小窓２８としている。そして、側面側と底面側の透明板１４は連続する面として構成される。底面側のブラケット１６と、放熱フィン３８と、側面側及び底面側の照射部１０、１１と、連続する透明板１４とを組み付けると、小窓からＬＥＤ素子が見える位置にＬＥＤ素子を容易に位置決めすることが可能である。すなわち、組み立てる際に小窓からＬＥＤ素子が見える位置にＬＥＤ素子を固定する際に格別困難な作業を行う必要がない。
【００３８】
本実施形態の防虫灯１によれば、図１０に示したように、防虫灯の斜め上方から防虫灯の直下までの広い範囲に忌避光を照射することが可能である。従来の防虫灯では、防虫灯の直下など忌避光が届かない場所が害虫の住処となり、害虫が繁殖する原因となっていた。本実施形態の防虫灯１を使用すれば、防虫灯の直下からも害虫を排除することが可能になる。忌避光自体に害虫の卵を殺卵する効果はない。しかし、継続的に本実施形態の防虫灯１を使用すれば、孵化した虫を圃場から締め出すことが可能である。例えば、夜蛾の場合は、卵、幼虫、蛹、成虫、卵を一ライフサイクルとする。２から３ライフサイクルの期間にわたって継続的に防虫灯を使用すれば、圃場に生息する夜蛾の数を大きく減らすことが可能である。
【図１】
0006381558.tif 000002
【図２】
0006381558.tif 000003
【図３】
0006381558.tif 000004
【図４】
0006381558.tif 000005
【図５】
0006381558.tif 000006
【図６】
0006381558.tif 000007
【図７】
0006381558.tif 000008
【図８】
0006381558.tif 000009
【図９】
0006381558.tif 000010
【図１０】
0006381558.tif 000011